(57)【要約】【課題】優れた信頼性を有する薄型化可能な蓄電デバイスを提供する。【解決手段】蓄電ユニット積層体３０と、端子２ｂと、を備える。蓄電ユニット積層体は３０、蓄電ユニット１０が厚み方向に複数積層されている。蓄電ユニット１０は、第１の電極１２と、第２の電極１１と、セパレータ１３と、タブ１２ａとを有する。第２の電極１１は、第１の電極１２に対向して設けられている。セパレータ１３は、第１の電極１２と第２の電極１１とを隔離している。端子２ｂは、各蓄電ユニット１０のタブ１２ａが積層されて一体に溶接されている。積層された複数のタブ１２ａの少なくとも１枚は、当該タブ１２ａの一の部分と他の部分とが重畳する重畳部を有している。重畳部が位置する部分において複数のタブ１２ａが端子２ｂに一体に溶接されている。【選択図】図２
2019040720.tif 000002
【特許請求の範囲】
【請求項１】
第１の電極と、前記第１の電極に対向して設けられた第２の電極と、前記第１の電極と前記第２の電極とを隔離するセパレータと、前記第１の電極に接続されたタブとを有する蓄電ユニットが厚み方向に複数積層された蓄電ユニット積層体と、
前記各蓄電ユニットのタブが積層されて一体に溶接された端子と、
を備え、
前記積層された複数のタブの少なくとも１枚は、当該タブの一の部分と他の部分とが重畳する重畳部を有しており、当該重畳部が位置する部分において前記複数のタブが前記端子に一体に溶接されている、蓄電デバイス。
【請求項２】
前記複数のタブが積層されてタブ積層体が構成されており、当該タブ積層体は、厚み方向に重畳する重畳部を有しており、当該重畳部が位置する部分において前記タブ積層体が前記端子に一体に溶接されている、請求項１に記載の蓄電デバイス。
【請求項３】
前記複数のタブは、前記重畳部を有さないタブを含み、当該重畳部を有さないタブが、前記重畳部を有するタブの前記一の部分と前記他の部分との間に位置している、請求項１に記載の蓄電デバイス。
【請求項４】
前記重畳部は、前記タブが屈曲した状態で形成されている、請求項１〜３のいずれか一項に記載の蓄電デバイス。
【請求項５】
前記タブの厚みが２０μｍ以下である、請求項１〜４のいずれか一項に記載の蓄電デバイス。
【請求項６】
前記複数のタブと前記端子とが、超音波溶接されている、請求項１〜５のいずれか一項に記載の蓄電デバイス。
【請求項７】
第１の電極と、前記第１の電極に対向して設けられた第２の電極と、前記第１の電極と前記第２の電極とを隔離するセパレータと、前記第１の電極に接続されたタブとを有する蓄電ユニットが厚み方向に複数積層された蓄電ユニット積層体と、
前記各蓄電ユニットのタブが積層されて一体に溶接された端子と、
を備える蓄電デバイスの製造方法であって、
前記複数のタブの少なくとも１枚を折り曲げることにより、当該タブの一の部分と他の部分とが重畳する重畳部を形成し、当該重畳部が位置する部分において前記複数のタブと前記端子とを一体に溶接する、蓄電デバイスの製造方法。
【請求項８】
前記複数のタブと前記端子とを超音波溶接する、請求項７に記載の蓄電デバイスの製造方法。
【発明の詳細な説明】
【技術分野】
【０００１】
本発明は、蓄電デバイス及びその製造方法に関する。
【背景技術】
【０００２】
従来、種々の電子機器の電源として、蓄電デバイスが用いられている。例えば、特許文献１には、その一例が記載されている。特許文献１に記載の電池では、正極及び負極のそれぞれから正極タブ及び負極タブが突出しており、正極タブの積層体及び負極タブの積層体のそれぞれが、正極リード及び負極リードのそれぞれと、圧縮されて超音波溶接されている。
【先行技術文献】
【特許文献】
【０００３】
【特許文献１】特開２０１４−１６７８８１号公報
【発明の概要】
【発明が解決しようとする課題】
【０００４】
近年、蓄電デバイスには、薄型化及び優れた信頼性が要求されている。ところが、蓄電デバイスを薄型化すべく、タブを薄くすると、例えば、製造時や使用時にタブの一部が破損する虞がある。このため、優れた信頼性を実現することが困難となる。従って、単にタブを薄くするのみでは、薄型化と優れた信頼性との両方を実現することは困難である。
【０００５】
本発明の主な目的は、優れた信頼性を有する薄型化可能な蓄電デバイスを提供することにある。
【課題を解決するための手段】
【０００６】
本発明に係る蓄電デバイスは、蓄電ユニット積層体と、端子と、を備える。蓄電ユニット積層体は、蓄電ユニットが厚み方向に複数積層されている。蓄電ユニットは、第１の電極と、第２の電極と、セパレータと、タブとを有する。第２の電極は、第１の電極に対向して設けられている。セパレータは、第１の電極と第２の電極とを隔離している。端子は、各蓄電ユニットのタブが積層されて一体に溶接されている。積層された複数のタブの少なくとも１枚は、当該タブの一の部分と他の部分とが重畳する重畳部を有している。重畳部が位置する部分において複数のタブが端子に一体に溶接されている。
【０００７】
本発明に係る蓄電デバイスでは、積層された複数のタブの少なくとも一枚が当該タブの一の部分と他の部分とが重畳する重畳部を有している。重畳部が位置する部分において、タブの積層体と端子とが一体に溶接されている。このため、少なくとも一枚のタブは、複数箇所において溶接されている。よって、仮に蓄電デバイスに衝撃が加わった際に重畳部を有するタブの溶接された部分の一部が破損した場合であっても、他の部分において電気的な接続が担保される。従って、優れた信頼性を有する薄型化可能な蓄電デバイスを提供することができる。
【０００８】
本発明に係る蓄電デバイスでは、複数のタブが積層されてタブ積層体が構成されている。そのタブ積層体は、厚み方向に重畳する重畳部を有しており、重畳部が位置する部分においてタブ積層体が端子に一体に溶接されていてもよい。
【０００９】
本発明に係る蓄電デバイスでは、複数のタブは、重畳部を有さないタブを含み、当該重畳部を有さないタブが、重畳部を有するタブの一の部分と他の部分との間に位置していてもよい。
【００１０】
本発明に係る蓄電デバイスでは、重畳部は、タブが屈曲した状態で形成されている。
【００１１】
本発明に係る蓄電デバイスでは、タブの厚みが２０μｍ以下であることが好ましい。
【００１２】
本発明に係る蓄電デバイスでは、複数のタブと端子とが、超音波溶接されていることが好ましい。
【００１３】
本発明に係る蓄電デバイスの製造方法は、第１の電極と、第１の電極に対向して設けられた第２の電極と、第１の電極と第２の電極とを隔離するセパレータと、第１の電極に接続されたタブとを有する蓄電ユニットが厚み方向に複数積層された蓄電ユニット積層体と、各蓄電ユニットのタブが積層されて一体に溶接された端子と、を備える蓄電デバイスの製造方法である。本発明に係る蓄電デバイスの製造方法では、複数のタブの少なくとも１枚を折り曲げることにより、タブの一の部分と他の部分とが重畳する重畳部を形成する。重畳部が位置する部分において複数のタブと端子とを一体に溶接する。
【００１４】
本発明に係る蓄電デバイスの製造方法では、複数のタブと端子とを、超音波溶接することが好ましい。
【発明の効果】
【００１５】
本発明によれば、優れた信頼性を有する薄型化可能な蓄電デバイスを提供することができる。
【図面の簡単な説明】
【００１６】
【図１】第１の実施形態に係る蓄電デバイスの模式的斜視図である。
【図２】第１の実施形態における蓄電デバイスの一部分の模式的平面図である。
【図３】図２の線ＩＩＩ−ＩＩＩにおける模式的断面図である。
【図４】図２の線ＩＶ−ＩＶにおける模式的断面図である。
【図５】第１の実施形態に係る蓄電デバイスの製造方法を説明するための模式的断面図である。
【図６】第２の実施形態に係る蓄電デバイスの一部分の模式的断面図である。
【図７】第３の実施形態に係る蓄電デバイスの一部分の模式的断面図である。
【発明を実施するための形態】
【００１７】
以下、本発明を実施した好ましい形態の一例について説明する。但し、下記の実施形態は、単なる例示である。本発明は、下記の実施形態に何ら限定されない。
【００１８】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１９】
（第１の実施形態）
図１は、第１の実施形態に係る蓄電デバイスの模式的斜視図である。図２は、第１の実施形態における蓄電デバイスの一部分の模式的平面図である。なお、図２及び後述する図３〜図６においては、ケース２の描画を省略している。
【００２０】
図１に示す蓄電デバイス１は、例えば、二次電池等の電池、電気二重層コンデンサ等のコンデンサ等であってもよい。
【００２１】
図１に示すように、蓄電デバイス１は、ケース２を備えている。ケース２の形状は、特に限定されない。ケース２の平面視形状は、例えば、矩形状、Ｌ字状、Ｈ字状、Ｕ字状、Ｔ字状等であってもよい。
【００２２】
ケース２は、導電体により構成されていてもよいし、絶縁体により構成されていてもよい。ケース２は、例えば、アルミニウム、ステンレス、銅等の金属や、ラミネート箔や樹脂等により構成することができる。
【００２３】
ケース２の一端面には、正極端子２ａと、負極端子２ｂとが設けられている。もっとも、本発明において、正極端子と負極端子との両方が設けられている必要は必ずしもない。例えば、正極端子のみを設け、負極端子を導電体のケース２により構成してもよい。
【００２４】
ケース２の内部には、図２に示す蓄電ユニット１０が複数配されている。具体的には、複数の蓄電ユニット１０は、厚み方向に積層されて蓄電ユニット積層体３０を構成している。
【００２５】
蓄電ユニット１０は、正極１１と、負極１２と、セパレータ１３とを有する。正極１１と負極１２とは、セパレータ１３を介して対向している。このセパレータ１３により正極１１と負極１２とが隔離され、絶縁されている。
【００２６】
正極１１の構成は、蓄電デバイス１の種類によって適宜決定することができる。例えば、蓄電デバイス１が二次電池である場合は、正極１１は、正極集電体と、正極集電体の少なくとも一方面の上に設けられた活物質層とにより構成することができる。例えば、蓄電デバイス１が、電気二重層コンデンサである場合は、正極１１は、正極集電体と、正極集電体の少なくとも一方面の上に設けられた分極性電極層とにより構成することができる。
【００２７】
負極１２の構成は、蓄電デバイス１の種類によって適宜決定することができる。例えば、蓄電デバイス１が二次電池である場合は、負極１２は、負極集電体と、負極集電体の少なくとも一方面の上に設けられた活物質層とにより構成することができる。例えば、蓄電デバイス１が、電気二重層コンデンサである場合は、負極１２は、負極集電体と、負極集電体の少なくとも一方の面の上に設けられた分極性電極層とにより構成することができる。
【００２８】
セパレータ１３は、例えば、電解質中のイオンが移動可能な連続気孔を有する多孔質シートにより構成することができる。セパレータ１３は、例えば、ポリプロピレン、ポリエチレン、ポリイミド、セルロース、アラミド、ポリフッ化ビニリデン、テフロン（登録商標）等により構成されていてもよい。また、セパレータ１３の表面がセラミックコート層や接着層等により覆われていてもよい。セパレータ１３の表面が接着性を有していてもよい。また、セパレータ１３は１種の材料からなる単層膜であってもよく、１種または２種類以上の材料からなる複合膜または多層膜であってもよい。
【００２９】
セパレータ１３には、電解質が含浸している。電解質は溶質と溶媒とを含む。溶質には、例えば、蓄電デバイス１が二次電池である場合は、ＬｉＰＦ６やＬｉＢＦ４などのＬｉ塩が好ましく用いられる。溶媒には、例えば、蓄電デバイス１が二次電池である場合は、エチレンカーボネート（ＥＣ）、プロピレンカーボネート（ＰＣ）、ジメチルカーボネート（ＤＭＣ）、エチルメチルカーボネート（ＥＭＣ）、ジエチルカーボネート（ＤＥＣ）などの有機溶媒が好ましく用いられる。電解質は液体でもよいし、ポリマー状のものを用いてもよい。
【００３０】
図２に示すように、正極１１には、正極タブ１１ａが接続されている。負極１２には、負極タブ１２ａが接続されている。具体的には、本実施形態では、正極１１と正極タブ１１ａとが一体に設けられている。負極１２と負極タブ１２ａとが一体に設けられている。
【００３１】
図３に示すように、平面視において、各蓄電ユニット１０のそれぞれに接続されている負極タブ１２ａは、厚み方向に重なるように設けられている。複数の負極タブ１２ａは、負極端子２ｂに一体に溶接されている。具体的には、複数の負極タブ１２ａと負極端子２ｂとは、一体に超音波溶接されている。もっとも、本発明において、タブと端子との溶接方法は、特に限定されず、超音波溶接以外の溶接方法であってもよい。
【００３２】
ところで、例えば、特許文献１に記載の電池のように、積層された負極タブが負極リードに圧縮して溶接された電池では、溶接時や使用時に負極タブに衝撃等が加わった際に、負極タブが破損する虞がある。負極タブが破損し、分断された場合は、蓄電ユニットと端子との間の電気的な接続が担保できなくなる。このため、電池の薄型化と優れた信頼性との両方を実現することは困難である。
【００３３】
これに対し、蓄電デバイス１では、積層された複数の負極タブ１２ａの少なくとも１枚は、そのタブの一部分と他の部分とが重畳する重畳部を有している。具体的には、負極タブ１２ａの少なくとも１枚の重畳部は、負極タブ１２ａが屈曲した状態で形成されている。その重畳部が位置する部分において、複数の負極タブ１２ａが負極端子２ｂに一体に溶接されている。このため、少なくとも一枚の負極タブ１２ａは、複数箇所において溶接されている。よって、仮に蓄電デバイス１に衝撃が加わった際に、重畳部を有する負極タブ１２ａの溶接された部分の一部が破損した場合であっても、他の部分において電気的な接続が担保される。従って、優れた信頼性を有する薄型化可能な蓄電デバイス１を提供することができる。
【００３４】
より優れた信頼性を実現する観点からは、複数の負極タブ１２ａが積層されて構成された負極タブ積層体１２Ａが、厚み方向に重畳する重畳部を有しており、その重畳部が位置する部分において負極タブ積層体１２Ａが負極端子２ｂに一体に溶接されていることが好ましい。この場合、負極タブ１２ａが複数箇所において破断したとしても蓄電ユニットと端子との電気的な接続がより担保されやすくなるためである。
【００３５】
なお、負極タブ１２ａが厚いほど、負極タブ１２ａが損傷しにくい。負極タブ１２ａが薄いほど負極タブ１２ａが損傷しやすい。従って、負極タブ１２ａの重畳部において負極端子２ｂと溶接する技術は、負極タブ１２ａが薄い場合に特に効果的である。具体的には、負極タブ１２ａの厚みが２０μｍ以下であるときにより効果的であり、１０μｍ以下であるときに更に効果的である。但し、負極タブ１２ａが薄すぎると、負極タブ１２ａを折り曲げた際にかかる応力で負極タブ１２ａが損傷する場合がある。従って、負極タブ１２ａの厚みは、５μｍ以上であることが好ましい。なお、負極タブの厚みはマイクロメーター等を利用することにより測定することができる。
【００３６】
また、負極タブ１２ａと負極端子２ｂとの溶接方法が超音波溶接である場合には、負極タブ１２ａと負極端子２ｂとに、溶接時に面方向の応力が加わりやすい。従って、負極タブ１２ａが破損しやすい。よって、超音波溶接により負極タブ１２ａと負極端子２ｂとを溶接する場合に、重畳部において溶接を行うことが特に効果的である。
【００３７】
なお、本実施形態では、負極タブ１２ａの先端側部分が負極端子２ｂとは反対側に位置するように折り曲げられて重畳部が形成されている例について説明した。もっとも、本発明は、この構成に限定されない。例えば、負極タブの先端側部分が負極端子側に位置するように折り曲げられて重畳部が形成されていてもよい。
【００３８】
図４は、図２の線ＩＶ−ＩＶにおける模式的断面図である。正極タブ１１ａも、上述の負極タブ１２ａと実質的に同様の構成を有している。従って、負極タブ１２ａの構成及び効果に関する説明を、正極タブ１１ａにも援用する。
【００３９】
なお、本実施形態では、負極タブ１２ａと正極タブ１１ａとの両方が、重畳部において負極端子２ｂ又は正極端子２ａに溶接されている例について説明した。もっとも、本発明は、この構成に限定されない。負極タブ及び正極タブの一方のみが重畳部において端子に溶接されていてもよい。但し、より優れた信頼性を実現する観点から、負極タブ及び正極タブの両方が重畳部において端子に溶接されていることが好ましい。
【００４０】
次に、蓄電デバイス１の製造方法について説明する。
【００４１】
図５は、本実施形態に係る蓄電デバイス１の製造方法を説明するための模式的断面図である。
【００４２】
まず、正極１１と、負極１２と、正極１１と負極１２とを隔離するセパレータ１３と、負極１２に接続された負極タブ１２ａとを有する蓄電ユニット１０が厚み方向に積層された蓄電ユニット積層体３０を用意する。
【００４３】
次に、各蓄電ユニット１０の負極１２に接続されている負極タブ１２ａが積層された部分を折り曲げることにより、負極タブ１２ａの一の部分と他の部分とを重畳させて重畳部を形成する。
【００４４】
次に、重畳部と負極端子２ｂとを重ね、重畳部の上方に超音波ホーン４０を位置させる。複数の負極タブ１２ａと負極端子２ｂとを超音波溶接することにより、一体化させる。
【００４５】
各蓄電ユニット１０のそれぞれに接続された正極タブ１１ａについても、負極１２と同様にして、正極タブ１１ａと正極端子２ａとを溶接によって一体化させる。
【００４６】
もっとも、本発明に係る蓄電デバイス１の製造方法では、積層された負極タブ１２ａの全てが折り曲げられて重畳部を構成してなくてもよい。積層された複数の負極タブ１２ａの少なくとも一枚が折り曲げられて重畳部が形成されており、重畳部が位置する部分において、負極タブ１２ａと負極端子２ｂとが溶接されていればよい。
【００４７】
以下、本発明の好ましい実施形態の他の例について説明する。以下の説明において、上記第１の実施形態と実質的に共通の機能を有する部材を共通の符号で参照し、説明を省略する。
【００４８】
（第２の実施形態）
図６は、第２の実施形態に係る蓄電デバイス１ａの模式的断面図である。第１の実施形態では、負極タブ１２ａが一回だけ折り曲げられ、重畳部が形成されている例について説明した。しかし、本発明はこの構成に限定されない。
【００４９】
第２の実施形態では、積層された複数の負極タブ１２ａが複数回折り曲げられている。具体的には、負極タブ１２ａが、その基端部の方向を向くように折り曲げられた後に、基端部とは逆の方向を向くように再度折り曲げられている。負極タブ１２ａが複数回折り曲げられた場合は、少なくとも一枚の負極タブ１２ａが、厚み方向において２回以上重なることになる。従って、溶接される箇所が多くなる。よって、蓄電デバイス１ａの信頼性をより高めることがでできる。
【００５０】
より優れた信頼性を実現する観点からは、負極タブ１２ａの折り曲げ回数を多くする方が好ましい。但し、負極タブ１２ａの折り曲げ回数（重畳する負極タブ１２ａの枚数）が多くなると、負極端子２ｂに溶接する負極タブ１２ａの枚数が多くなる。このため、負極タブ１２ａに加わる振動や応力等が大きくなり、負極タブ１２ａが破損しやすくなる場合がある。従って、負極タブ１２ａの折り曲げ回数（重畳する負極タブ１２ａの枚数）は、６０枚以下であることが好ましく、４５枚以下であることがより好ましい。
【００５１】
なお、本実施形態では、負極タブ１２ａの先端部が、負極端子２ｂとは反対側に位置するように、負極タブ１２ａを折り曲げる例について説明した。しかし、本発明はこれに限定されない。蓄電デバイス１ａでは、負極端子２ｂの先端部が負極端子２ｂ側に位置するように折り曲げられていてもよい。
【００５２】
なお、正極１１の正極タブ１１ａも、負極タブ１２ａと実質的に同様の構成を有しているため、本実施形態の負極タブ１２ａの構成及び効果に関する記載を援用する。
【００５３】
（第３の実施形態）
図７は、第３の実施形態に係る蓄電デバイス１ｂの模式的断面図である。
【００５４】
第１及び第２の実施形態では、負極タブ１２ａのそれぞれを折り曲げて重畳を形成していたが、本発明はこの構成に限定されない。例えば、蓄電デバイスでは、全ての負極タブが折り曲げられていなくてもよい。図７に示す蓄電デバイス１ｂでは、折り曲げられて重畳部が形成された負極タブ１２ａと、折り曲げられていない負極タブ１２ａとを有している。
【００５５】
具体的には、蓄電デバイス１ｂでは、蓄電ユニット積層体３０のうち、下方に位置する複数の蓄電ユニット１０に接続された負極タブ１２ａのそれぞれの先端部が、負極端子２ｂとは反対側に位置するように折り曲げられている。一方、蓄電ユニット積層体３０のうち、下方に位置していないその他の蓄電ユニット１０に接続された負極タブ１２ａのそれぞれは、折り曲げられておらず、折り曲げられた負極タブ１２ａの間に位置している。この場合であっても、複数の負極タブ１２ａのうち一部が破損したとしても、その他の部分で電気的な接続を担保できる。よって、蓄電デバイス１ｂの信頼性を高めることができる。
【００５６】
本実施形態では、蓄電ユニット積層体３０のうち、下方に位置する複数の蓄電ユニット１０に接続された負極タブ１２ａが折り曲げられている例について説明した。しかし、本発明はこの構成に限定されない。蓄電デバイス１ｂでは、蓄電ユニット積層体３０のうち、上方に位置している複数の蓄電ユニット１０に接続された負極タブ１２ａのそれぞれの先端部が、負極端子２ｂ側に位置するように折り曲げられていてもよい。この場合、蓄電ユニット積層体３０の上方に位置する蓄電ユニット１０以外の蓄電ユニット１０に接続された負極タブ１２ａのそれぞれは、折り曲げられた負極タブ１２ａの間に位置している。
【００５７】
なお、正極１１の正極タブ１１ａも、負極タブ１２ａと実質的に同様の構成を有しているため、本実施形態の負極タブ１２ａの構成及び効果に関する記載を援用する。
【００５８】
（第４の実施形態）
第１〜第３の実施形態では、負極タブ１２ａの先端部が、負極端子２ｂの反対側か負極端子２ｂ側に位置するように折り曲げられて重畳部が形成されている例について説明した。しかし、本発明はこの構成に限定されない。例えば、複数の負極タブ１２ａの積層体が巻回されていてもよい。負極タブ１２ａの積層体の巻回方向は特に限定されない。負極タブ１２ａの積層体が巻回された場合は、負極タブ１２ａの巻回により重畳部が形成されており、重畳部と負極端子２ｂとが一体に溶接されている。
【００５９】
なお、正極１１の正極タブ１１ａも、負極タブ１２ａと実質的に同様の構成を有しているため、本実施形態の負極タブ１２ａの構成及び効果に関する記載を援用する。
【００６０】
（他の実施形態）
第１〜第４の実施形態では、各蓄電ユニット１０のタブのうち、折り曲げられたタブの折り曲げられた形状が同じ例について説明した。しかし、本発明はこの構成に限定されない。各蓄電ユニット１０の折り曲げられたタブの折り曲げられた形状が相互に異なっていてもよい。例えば、上述の第１〜第４の実施形態に記載の蓄電ユニット積層体３０が、適宜組み合わされていてもよい。
【符号の説明】
【００６１】
１、１ａ、１ｂ      ：蓄電デバイス
２      ：ケース
２ａ    ：正極端子
２ｂ    ：負極端子
１０    ：蓄電ユニット
１１    ：正極
１１ａ  ：正極タブ
１２    ：負極
１２Ａ  ：負極タブ積層体
１２ａ  ：負極タブ
１３    ：セパレータ
３０    ：蓄電ユニット積層体
４０    ：超音波ホーン
【図１】
2019040720.tif 000003
【図２】
2019040720.tif 000004
【図３】
2019040720.tif 000005
【図４】
2019040720.tif 000006
【図５】
2019040720.tif 000007
【図６】
2019040720.tif 000008
【図７】
2019040720.tif 000009